(57)【要約】【課題】  ＩＣタグ等の通信手段を取り付け、物体の盗難の有無を監視する盗難監視システムにおいて、当該物体を収納物に収納して保管することができる盗難監視システムを提供する。【解決手段】  物体Ｏ１〜ＯｎにＩＣタグＴ１〜Ｔｎを取り付け、収納物３に収納する。コントローラ２は、周期的に探知信号を出力し、ＩＣタグＴ１〜Ｔｎは探知信号を受信して応答信号を出力する。コントローラ２は、ＩＣタグＴ１〜Ｔｎからの応答信号を受信したとき、収納物３から物体Ｏ１〜Ｏｎが持ち出されたと判定する。【選択図】      図１
2005284733.tif 000002
【特許請求の範囲】
【請求項１】
監視対象となる物体に取り付けられる通信手段と、前記通信手段と無線信号により通信可能に接続され、前記物体の盗難を検知する検知手段とを備える盗難監視システムであって、
前記検知手段は、前記通信手段を探知するための探知信号を所定周期で出力し、
前記通信手段は、前記探知信号を受信した場合、前記検知手段に応答信号を出力し、
前記探知信号は、前記物体が所定の収納物に収納された際、当該収納物により、前記通信手段への伝搬が遮られる信号であることを特徴とする盗難監視システム。
【請求項２】
前記物体の管理者により携帯され、前記検知手段に無線信号により通信可能に接続され、監視解除信号を出力する監視解除手段を更に備え、
前記検知手段は、前記監視解除信号の受信中に、前記応答信号を受信した場合、前記物体の盗難を検知しないこと特徴とする請求項１記載の盗難監視システム。
【請求項３】
前記通信手段は、前記収納物にも取り付けられ、
前記収納物に取り付けられた通信手段への前記探知信号の伝搬を遮る遮蔽手段を更に備え、
前記遮蔽手段は、前記収納物が移動された際、その移動に伴って、前記探知信号の伝搬を遮ることを解除することを特徴とする請求項１又は２記載の盗難監視システム。
【請求項４】
前記遮蔽手段は、前記収納物に取り付けられた通信手段を遮蔽するシートであることを特徴とする請求項３記載の盗難監視システム。
【請求項５】
前記検知手段は、前記物体の管理者の端末と通信可能に接続され、前記物体の盗難を検知した場合、前記端末に対し、盗難の発生を通知することを特徴とする請求項１〜４のいずれかに記載の盗難監視システム。
【請求項６】
前記検知手段は、第２の管理者の監視装置と通信可能に接続され、前記物体の盗難を検知した場合、前記監視装置に対し、盗難の発生を通知することを特徴とする請求項１〜５のいずれかに記載の盗難監視システム。
【請求項７】
前記物体は複数存在し、
前記通信手段は、各物体に取り付けられ、各々、固有の識別情報を含む応答信号を出力し、
前記検知手段は、識別情報と、識別情報に対応する物体とを記憶する記憶手段を備え、前記応答信号を受信したとき、当該応答信号に含まれる識別情報から、盗難された物体を特定することを特徴とする請求項１〜６のいずれかに記載の盗難監視システム。
【請求項８】
前記通信手段は、ＩＣタグであることを特徴とする請求項１〜７のいずれかに記載の盗難監視システム。
【請求項９】
監視対象となる物体に取り付けられる通信手段と、前記通信手段と無線信号により通信可能に接続され、前記物体の盗難を検知する検知手段とを備える盗難監視システムであって、
前記通信手段は、前記検知手段に所定の信号を所定周期で出力し、
前記検知手段は、前記所定の信号を受信した場合、前記物体の盗難の発生を検知し、
前記所定の信号は、前記物体が所定の収納物に収納された際、当該収納物により、前記検知手段への伝搬が遮られる信号であることを特徴とする盗難監視システム。
【発明の詳細な説明】
【技術分野】
【０００１】
本発明は、物体が盗難されたか否かを監視する盗難監視システムに関するものである。
【背景技術】
【０００２】
近年、ＩＣタグを用いて物体が盗難されたか否かを監視する盗難監視システムが提案されている。この盗難監視システムは、管理対象となる物体に取り付けられたＩＣタグと、ＩＣタグから出力される応答信号を受信し、物体の盗難の有無を検知する検知装置とから構成されている。検知装置は、一定の間隔で、物体に取り付けられたＩＣタグに対して探知信号を出力し、ＩＣタグは、この探知信号に対して応答信号を出力する。そして、検知装置は、ＩＣタグからの応答を受信できなかったとき、このＩＣタグが取り付けられた物体の盗難を検知し、物体の管理者に盗難の発生を通知する。その他、本発明に関連する技術として特許文献１及び２が公開されている。
【特許文献１】特開平０８−３２６３７０号公報
【特許文献２】特開平１１―０２５３７０号公報
【発明の開示】
【発明が解決しようとする課題】
【０００３】
しかしながら、従来の盗難監視システムでは、検知装置は、ＩＣタグからの応答信号を常時受信しており、ＩＣタグからの応答信号が受信できなくなったときに物体の盗難を検知しているため、物体を金庫や、ロッカー等の収納物に収納した場合、ＩＣタグから出力される応答信号が、この収納物によって遮蔽されてしまい、実際には物体は盗難されていないにも関わらず、物体が盗難されたと誤検知する虞があった。特に、金属からなる収納物に物体を収納した場合、ＩＣタグから出力される応答信号が遮蔽される確率は高まり、物体を金属の収納物に収納して保管することは事実上不可能であった。
【０００４】
本発明は、上記課題を解決するためになされたものであり、物体にＩＣタグ等の通信手段を取り付け、物体の盗難の有無を監視する盗難監視するシステムにおいて、当該物体を収納物に収納しても、当該物体の盗難の有無を監視することができる盗難監視システムを提供することを目的とする。
【課題を解決するための手段】
【０００５】
本発明にかかる盗難監視システムは、監視対象となる物体に取り付けられる通信手段と、前記通信手段と無線信号により通信可能に接続され、前記物体の盗難を検知する検知手段とを備える盗難監視システムであって、前記検知手段は、前記通信手段を探知するための探知信号を所定周期で出力し、前記通信手段は、前記探知信号を受信した場合、前記検知手段に応答信号を出力し、前記探知信号は、前記物体が所定の収納物に収納された際、当該収納物により、前記通信手段への伝搬が遮られる信号であることを特徴とする。
【０００６】
また、前記物体の管理者により携帯され、前記検知手段に無線信号により通信可能に接続され、監視解除信号を出力する監視解除手段を更に備え、前記検知手段は、前記監視解除信号の受信中に、前記応答信号を受信した場合、前記物体の盗難を検知しないことが好ましい。
【０００７】
また、前記通信手段は、前記収納物にも取り付けられ、前記収納物に取り付けられた通信手段への前記探知信号の伝搬を遮る遮蔽手段を更に備え、前記遮蔽手段は、前記収納物が移動された際、その移動に伴って、前記探知信号の伝搬を遮ることを解除することが好ましい。
【０００８】
また、前記遮蔽手段は、前記収納物に取り付けられた通信手段を遮蔽するシートであることが好ましい。
【０００９】
また、前記検知手段は、第２の管理者の監視装置と通信可能に接続され、前記物体の盗難を検知した場合、前記監視装置に対し、盗難の発生を通知することが好ましい。
【００１０】
また、前記物体は複数存在し、前記通信手段は、各物体に取り付けられ、各々、固有の識別情報を含む応答信号を出力し、前記検知手段は、識別情報と、識別情報に対応する物体とを記憶する記憶手段を備え、前記応答信号を受信したとき、当該応答信号に含まれる識別情報から、盗難された物体を特定することが好ましい。
【００１１】
また、前記通信手段は、ＩＣタグであることが好ましい。
【００１２】
本発明にかかる他の盗難監視システムは、監視対象となる物体に取り付けられる通信手段と、前記通信手段と無線信号により通信可能に接続され、前記物体の盗難を検知する検知手段とを備える盗難監視システムであって、前記通信手段は、前記検知手段に所定の信号を所定周期で出力し、前記検知手段は、前記所定の信号を受信した場合、前記物体の盗難の発生を検知し、前記所定の信号は、前記物体が所定の収納物に収納された際、当該収納物により、前記検知手段への伝搬が遮られる信号であることを特徴とする。
【発明の効果】
【００１３】
請求項１記載の発明によれば、検知手段は、周期的に探知信号を出力し、通信手段は、監視対象となる物体に取り付けられ、探知信号を受信すると応答信号を出力する。一方、検知手段は、この応答信号を受信したとき、当該物体の盗難を検知する。ここで、探知信号は、物体が収納物に収納された際、当該収納物により探知信号の伝搬が遮られる信号であるため、収納物に物体が収納されている場合、検知手段は応答信号を受信せず、一方、収納物から物体が取り出された場合、検知手段は応答信号を受信する。そのため、通信手段が取り付けられた物体を収納物に収納しても、当該物体の盗難の有無を監視することができる。
【００１４】
請求項２記載の発明によれば、検知手段は、収納物から物体が取り出され、通信手段からの応答信号を受信しても、監視解除信号の受信中は、物体の盗難を検知しないため、物体の管理者は、この監視解除手段を携帯すれば、システムの監視機能を一時的に停止させるといった面倒な作業を行わなくとも、物体を収納物から取り出す作業を行うことができる。
【００１５】
請求項３記載の発明によれば、収納物にも通信手段を取り付けると共に、当該通信手段への探知信号の伝搬を遮る遮蔽手段が更に設けられている。この遮蔽手段は、収納物が移動されると、探知信号の伝搬の遮りを解除するものであるため、収納物から個々の物体を取り出すのではなく、収納物を丸ごと持ち出すような盗難形態を、検知手段は検知することができる。
【００１６】
請求項４記載の発明によれば、遮蔽手段を、収納物に取り付けられた通信手段を覆うシート状の繊維により構成している。そのため、収納物が移動されると、一般に遮蔽シートは軽量な薄葉体であることから、通信手段から相対的にずれ、探知信号の伝搬の遮りを解除する。したがって、シート状の繊維を通信手段に被せるという、簡便な構成により、収納物を丸ごと持ち出すような盗難形態を検知することができる。
【００１７】
請求項５記載の発明によれば、検知手段は、盗難を検知したとき、通信可能に接続された物体の管理者の端末に、盗難の発生を通知するため、管理者は盗難の発生を速やかに知ることができる。ここで、端末としては、携帯電話、通信機能を備えるＰＤＡ（personal digital assistant）、パーソナルコンピュータ等が含まれる。
【００１８】
請求項６記載の発明によれば、検知手段は、盗難を検知したとき、通信可能に接続された第２の管理者が所有する監視装置に、盗難の発生を通知する。したがって、第２の管理者が警備会社等である場合、この警備会社は、盗難の発生を速やかに知ることができ、ガードマンを盗難発生の現場に速やかに派遣させたり、警察に通報したりすることができる。
【００１９】
請求項７記載の発明によれば、識別信号には、各々、固有の識別情報が含まれ、検知手段は、各物体と、各物体に取り付けられた通信手段が出力する応答信号に含まれる識別情報とを対応付けて記憶する記憶手段を備えているため、応答信号を受信したとき、この記憶手段を参照することにより、どの物体が盗難されたかを特定することができる。
【００２０】
請求項８記載の発明によれば、通信手段をＩＣ（integrated circuit）タグにより構成したため、物体に対して通信手段を目立たないように取り付けることができる。
【００２１】
請求項９記載の発明によれば、監視対象となる物体に取り付けられた通信手段は、周期的に所定の信号を出力し、検知手段は、通信手段からの所定の信号を受信した場合、当該物体の盗難を検知する。ここで、通信手段が出力する所定の信号は、収納物に収納された際、当該収納物により伝搬が遮られる信号であるため、収納物に物体が収納されている場合、検知手段は当該信号を受信せず、一方、収納物から取り出された場合、検知手段は当該信号を受信する。そのため、通知手段が取り付けられた物体を収納物に収納しても、当該物体の盗難の有無を監視することができる。
【発明を実施するための最良の形態】
【００２２】
以下、図面を参照しつつ本発明の実施の形態にかかる盗難監視システムについて説明する。図１は、本盗難監視システムの全体構成図を示している。本盗難監視システムは、住居、ビル等の建物の部屋に存在するｎ（ｎは整数）個の物体Ｏ１〜Ｏｎの盗難を監視するシステムであり、ＩＣタグＴ１〜Ｔｎ、コントローラ２、ＩＣタグＴｘ、解除装置６、及び遮蔽シート７を備えている。ＩＣタグＴ１〜Ｔｎは、各々、物体Ｏ１〜Ｏｎに取り付けられ、収納物３の内部に収納されている。コントローラ２は、アンテナ２１及び本体部２２を備え、ＩＣタグＴ１〜Ｔｎ，Ｔｘと、解除装置６と無線により通信可能に接続されると共に、ネットワークＮＴを介して、携帯電話４と、監視装置５と通信可能に接続されている。また、ＩＣタグＴｘは、収納物３に取り付けられている。
【００２３】
ＩＣタグＴ１〜Ｔｎ，Ｔｘは、例えば、エイリアンテクノロジー社「セミパッシブ型タグ」又は「パッシブ型タグ」が採用される。ＩＣタグＴ１〜Ｔｎ，Ｔｘは構成が同一であるため、以下、ＩＣタグＴ１のみ説明する図２は、ＩＣタグＴ１のブロック図を示している。ＩＣタグＴ１は、送受信部１１、制御部１２、記憶部１３、及びアンテナ１４を備えている。送受信部１１は、発振器、変調器、復調器等から構成され、アンテナ１４が受信した種々の無線信号を復調し、制御部１２に出力する共に、制御部１２から出力された種々の信号を変調し、アンテナ１４を介して外部空間に出力する。
【００２４】
制御部１２は、ＣＰＵ等から構成され、送受信部１１から出力された信号が、コントローラ２から出力された探知信号である場合、記憶部１３からＩＣタグＴ１のＩＤ番号を読み出し、読み出したＩＤ番号を含む応答信号を生成し、送受信部１１に出力する。記憶部１３は、書換え可能な不揮発性メモリから構成され、ＩＣタグＴ１〜Ｔｎ，ＴｘのＩＤ番号を記憶する他、種々のデータを記憶する。なお、ＩＣタグＴ１〜Ｔｎ，ＴＸは、例えば周波数が、ＵＨＦ帯、又は２．４ＧＨｚの無線信号に応答する。また、出力が高いほど、無線信号の受信可能距離は大きくなるため、コントローラ２とＩＣタグＴ１〜Ｔｎ，Ｔｘとの距離に応じて電力を変えても良い。
【００２５】
図３は、コントローラ２の本体部２２ブロック図を示している。本体部２２は、送受信部２２１、盗難判定部２２２、盗難物特定部２２３、テーブル記憶部２２４、通信部２２５、及び警報部２２６を備えている。
【００２６】
送受信部２２１は、発振器、変調器、復調器等から構成され、ＩＣタグＴ１〜Ｔｎ，Ｔｘを探知するための探知信号を生成し、アンテナ２１を介して外部空間に出力するとともに、ＩＣタグＴ１〜Ｔｎ，Ｔｘから出力された応答信号又は解除装置６から送信された解除信号を受信し、盗難判定部２２２に出力する。ここで、送受信部２２１は、一定の周期で探知信号を生成する。
【００２７】
盗難判定部２２２は、ＣＰＵ等から構成され、送受信部２２１によって受信された応答信号と、解除信号とを入力信号として、盗難の発生の有無を判定する。
【００２８】
盗難物特定部２２３は、ＣＰＵ等から構成され、応答信号に含まれるＩＤ番号と、テーブル記憶部２２４に記憶されたテーブルとを用いて盗難された物体Ｏ１〜Ｏｎを特定し、どの物体が盗難されたかを示す盗難通知信号を生成し、通信部２２５に出力する。警報部２２６は、盗難判定部２２２が、盗難が発生したと判定した場合、警報を鳴らし、盗難の発生を周囲に知らせる。
【００２９】
テーブル記憶部２２４は、書換え可能な不揮発性の半導体記憶素子から構成され、ＩＣタグＴ１〜Ｔｎ，ＴｘのＩＤ番号と、各ＩＤ番号に対応する物体Ｏ１〜Ｏｎ及び収納物３とが関連づけて記載された識別テーブルを記憶する。ここで、ＩＤ番号は、各ＩＣタグＴ１〜Ｔｎ，Ｔｘに対して付与された固有の記号列である。この識別テーブルは、例えば、本盗難システム導入時に作成され、新たに監視対象となる物体が追加された場合、更新される。
【００３０】
通信部２２５は、モデム、ＮＣＵ（network control unit）等から構成され、盗難物体特定部２２３によって生成された盗難通知信号に変調等を施し、携帯電話４及び監視装置５に送信する。
【００３１】
図１に示す収納物３は、ロッカーや、金庫等、物体Ｏ１〜Ｏｎを完全に覆って収納することができる収納物である。収納物の材質としては、特に限定はなく、プラスチック又は木製であってもかまわないが、ＩＣタグへの探知信号の伝搬を遮るという観点からは、金属製のものが好ましい。
【００３２】
また、収納物３に取り付けられたＩＣタグＴｘは、ＩＣタグＴ１〜Ｔｎと同一のＩＣタグである。このＩＣタグＴｘは、遮蔽シート７で覆われている。遮蔽シート７は、例えば電波遮蔽シートから構成され、コントローラ２から出力された探知信号が、ＩＣタグＴｘによって受信されないように、ＩＣタグＴｘの全体を覆うように、収納物３に配置されている。
【００３３】
監視装置５は、コンピュータから構成され、物体Ｏ１〜Ｏｎの管理者Ｍと契約が結ばれている警備会社に設置され、コントローラ２から盗難通知信号を受信し、警備会社の職員に盗難の発生を知らせる。解除装置６は、無線機から構成され、物体Ｏ１〜Ｏｎの管理者Ｍに携帯され、無線信号である解除信号を一定の周期でコントローラ２に出力する。
【００３４】
本実施の形態では、ＩＣタグＴ１〜Ｔｎ，Ｔｘが通信手段に相当し、コントローラ２が検知手段に相当し、遮蔽シート７が遮蔽手段に相当する。
【００３５】
図４は、本盗難システムのコントローラ２の動作を示すフローチャートである。以下、図４に従って、本盗難システムの動作について説明する。ステップＳ１０１において、送受信部２２１は、ＩＣタグ１１〜１ｎからの応答信号を受信すると（ステップＳ１０１でＹＥＳ）、盗難判定部２２２は、解除信号が受信中であるか否かを判定し（ステップＳ１０２）、解除信号を受信中と判定した場合（ステップＳ１０２でＹＥＳ）、物体Ｏ１〜Ｏｎは管理者Ｍによって収納物３の外部に持ち出された判定し、処理を終了する。一方、盗難判定部２２２は、解除信号が受信中でないと判定した場合（ステップＳ１０２でＮＯ）、盗難が発生したと判定し、処理をステップＳ１０３に進める。ここで、盗難判定部２２２は、解除信号を一定の周期で受信しているとき受信中と判定する。
【００３６】
盗難物特定部２２３は、盗難判定部２２２から出力された応答信号からＩＤ番号を抽出し（ステップＳ１０３）、抽出したＩＤ番号と、テーブル記憶部２２４に記憶された識別テーブルとを用いて、収納物３の外部に持ち出された物体Ｏ１〜Ｏｎを特定し（ステップＳ１０４）、盗難通知信号を生成し（ステップＳ１０５）、通信部２２５に出力する。ステップＳ１０６において、通信部２２５は、盗難通知信号を管理者Ｍの携帯電話４及び監視装置５に送信する。
【００３７】
図５は、ある人物Ｎが、物体Ｏ１を収納物３の外部に持ち出そうとしている様子を示した図面である。人物Ｎによって、収納物３から物体Ｏ１が持ち出されると、コントローラ２から出力された探知信号Ｓ１が、ＩＣタグＴ１によって受信される。探知信号Ｓ１を受信したＩＣタグＴ１は、応答信号Ｓ２をコントローラ２に送信する。この場合、人物Ｎによって、解除装置６が携帯されていないため、コントローラ２は、物体Ｏ１は管理者Ｍ以外の人物によって持ち出されたものと判定し、警報を鳴らして盗難の発生を知らせるとともに、携帯電話４及び監視装置５に盗難通知信号を送信し、管理者Ｍ及び警備会社の職員に盗難の発生を知らせる。
【００３８】
また、人物Ｎが収納物３ごと持ち出そうとして、収納物３を持ち上げると、遮蔽シート７は、ＩＣタグＴｘに対し相対的にずれる等し、コントローラ２から出力された探知信号Ｓ１を受信し、応答信号Ｓ３を送信する。これによって、収納物３ごと持ち出されるような盗難形態を検出することができる。
【００３９】
図６は、解除装置６を携帯する人物Ｎが、物体Ｏ１を収納物３の外部に持ち出そうとしている様子を示した図面である。人物Ｎによって、収納物３から物体Ｏ１が持ち出されると、ＩＣタグＴ１はコントローラ２から出力される探知信号Ｓ１を受信し、応答信号Ｓ２をコントローラ２に送信するが、この場合、解除装置６からコントローラ２に対し、解除信号Ｓ４が送信されるため、コントローラ２は、物体Ｏ１は、管理者Ｍによって持ち出されていると判定し、盗難の発生を通知しない。
【００４０】
これにより、管理者Ｍは、本盗難監視システムを停止するような面倒な作業を行わなくとも、物体Ｏ１を収納物３の外部に持ち出す作業を行うことができる。
【００４１】
以上説明したように、本盗難システムによれば、コントローラ２は、ＩＣタグＴ１〜１Ｔｎからの応答信号を受信したときに、物体Ｏ１〜Ｏｎの盗難を判定しているため、物体Ｏ１〜Ｏｎを収納物３の内部に収納して保管することができる。
【００４２】
また、収納物３にも、ＩＣタグＴｘを取り付けるとともに、ＩＣタグＴｘを遮蔽シート７で覆っているため、収納物３ごと持ち出すような盗難形態を検出することができる。
【００４３】
なお、上記実施の形態では、ＩＣタグは、コントローラ２からの探知信号を受信したときに応答信号を出力するものであったが、これに限定されず、所定の信号を所定周期で出力するものであってもよい。この場合、コントローラ２は、ＩＣタグから出力された所定の信号を受信したとき、盗難が発生したことを検知すればよい。
【図面の簡単な説明】
【００４４】
【図１】盗難監視システムの全体構成図を示している。
【図２】ＩＣタグのブロック図を示している。
【図３】コントローラの本体部ブロック図を示している。
【図４】コントローラの動作を示すフローチャートである。
【図５】ある人物が、物体を収納物の外部に持ち出そうとしている様子を示した図面である。
【図６】解除装置を携帯する人物Ｎが、物体を収納物の外部に持ち出そうとしている様子を示した図面である。
【符号の説明】
【００４５】
２  コントローラ
３  収納物
４  携帯電話
５  監視装置
６  解除装置
７  遮蔽シート
Ｔ１〜Ｔｎ，Ｔｘ  ＩＣタグ
１１  送受信部
１２  制御部
１３  記憶部
１４  アンテナ
２１  アンテナ
２２  本体部
３１  タグ
２２１  送受信部
２２２  盗難判定部
２２３  盗難物特定部
２２４  テーブル記憶部
２２５  通信部
２２６  警報部
Ｍ  管理者
Ｎ  人物
ＮＴ  通信ネットワーク
【図１】
2005284733.tif 000003
【図２】
2005284733.tif 000004
【図３】
2005284733.tif 000005
【図４】
2005284733.tif 000006
【図５】
2005284733.tif 000007
【図６】
2005284733.tif 000008